(57)【特許請求の範囲】
【請求項１】
取付部材に対して被取付部材を着脱可能に取り付けるために、前記取付部材と被取付部材の間に設けられたクリップにおいて、
一方が開放されているとともに、開放された部分の近傍外周囲に前記取付部材に取り付ける凹部を有する挟持部材からなり、
挿入される前記被取付部材のリブの挿入方向へ向かって間隔が狭くなる自由端を有する一対の係止片が前記挟持部材の開放端側から前記凹部近傍に相当する位置まで傾斜して突出し、前記一対の係止片の先端部に設けられた係止部分が互い違いに設けられているとともに、前記リブに設けられた係合孔と係合し、
挿入された前記被取付部材のリブ先端部分が下方内部に設けられた一対の挟持片で狭持される、
ことを特徴とするクリップ。
【発明の詳細な説明】
【０００１】
【発明の属する技術分野】
この発明は、例えば取付部材としての自動車のインストルメントパネルに、被取付部材としてのセンタクラスタを着脱可能に取り付けるためのクリップに関するものである。
【０００２】
【従来の技術】
上記したクリップとして、取付部材に対して着脱可能に取り付けられて、取付部材に対して被取付部材を着脱可能に取り付ける構成のものが、例えば特開平１０−５４４１１号公報、特開２０００−２４９１１７号公報に開示されている。
この特開平１０−５４４１１号公報、または特開２０００−２４９１１７号公報に開示されているクリップは、挿入される被取付部材のリブの挿入終端側からリブの挿入開始端側へ、すなわち、リブの反挿入方向（抜去方向）へ向かって間隔が狭くなるように傾斜して突出し、係止部分がリブの係合部に係合する一対の係止片が設けられている。
【０００３】
【発明が解決しようとする課題】
このように、従来のクリップは被取付部材のリブの抜去方向へ向かって間隔が狭くなるように一対の係止片が設けられているので、センタクラスタ（被取付部材）に、インストルメントパネル（取付部材）から取り外す力が作用した場合、クリップの保持力が弱いため、センタクラスタがクリップ、すなわち、インストルメントパネルから外れ易かった。
また、センタクラスタとともにクリップを、インストルメントパネルから取り外そうとしても、センタクラスタがクリップから外れ易いため、クリップがインストルメントパネルに残ってしまい、クリップには摘む部分が少ないので、クリップをセンタクラスタから取り外し難くかった。
【０００４】
この発明は、上記したような不都合を解消するためになされたもので、保持力を強くして被取付部材を取付部材から外れ難くするとともに、取付部材を被取付部材から取り外す場合、取付部材から被取付部材とともに取り外せるクリップを提供するものである。
【０００５】
【課題を解決するための手段】
この発明は、取付部材に対して被取付部材を着脱可能に取り付けるために、前記取付部材と被取付部材の間に設けられたクリップにおいて、一方が開放されているとともに、開放された部分の近傍外周囲に前記取付部材に取り付ける凹部を有する挟持部材からなり、挿入される前記被取付部材のリブの挿入方向へ向かって間隔が狭くなる自由端を有する一対の係止片が前記挟持部材の開放端側から前記凹部近傍に相当する位置まで傾斜して突出し、前記一対の係止片の先端部に設けられた係止部分が互い違いに設けられているとともに、前記リブに設けられた係合孔と係合し、挿入された前記被取付部材のリブ先端部分が下方内部に設けられた一対の挟持片で狭持されるものである。
【０００６】
【発明の実施の形態】
以下、この発明の実施形態を図に基づいて説明する。
図１はこの発明の一実施形態であるクリップの正面図、図２は図１に示したクリップの平面図、図３は図１に示したクリップの斜視図、図４は図１に示したクリップを半分に破断した図３と同じ状態の斜視図である。
【０００７】
これらの図において、合成樹脂で成形されたクリップＣは、Ｕ字状のクリップ本体１と、このクリップ本体１の内側で、後述するリブ１２の挿入終端部分（図１における下端部分）に対向して設けられ、リブ１２の先端部分を両側から先端部分で挟持する二対の挟持片２Ａ，２Ｂ、３Ａ，３Ｂと、クリップ本体１の内側で、リブ１２の挿入終端部分ではあるが、挟持片２Ａ，２Ｂ、３Ａ，３Ｂよりもリブ１２の挿入開始端側（図１における上側）に対向して設けられ、リブ１２の先端係合孔１２ａ内へ両側から突入する一対の先端係止片４Ａ，４Ｂと、クリップ本体１の内側で、リブ１２の挿入開始端に対向して設けられ、リブ１２の挿入方向Ｘへ向かって間隔が狭くなるように傾斜して突出し、係止部分５ａ，５ｂがリブ１２の係合孔１２ｂに両側から係合する一対の係止片５Ａ，５Ｂと、クリップ本体１の外側で、リブ１２の挿入開始端に外側へ向けて両側に設けられた一対の鍔部６Ａ，６Ｂとで構成されている。
【０００８】
そして、クリップ本体１の、リブ１２の挿入方向Ｘの中間部分の外側に、後述するインストルメントパネル２１に設けられた取付孔２２の縁に圧接する一対の係止肩部１ａ，１ｂが設けられている。
なお、挟持片２Ａ，２Ｂ、３Ａ，３Ｂ、および先端係止片４Ａ，４Ｂは、リブ１２の挿入方向Ｘへ向かって間隔が狭くなるように傾斜して突出している。
そして、一対の係止部分５ａ，５ｂは、図２に示すように、リブ１２の係合孔１２ｂ内へ深く突入できるように、互い違いに設けられている。
【０００９】
図５はセンタクラスタのリブ部分を示す斜視図である。
図５において、被取付部材としてのセンタクラスタ１１には、リブ１２が設けられるとともに、このリブ１２を挟むように、リブ１２の長さ方向に沿ってリブ１２と一体的にフランジ１３Ａ，１３Ｂが設けられている。
そして、リブ１２は、クリップＣへの挿入を容易にするために先端部分が面取りされている。
また、リブ１２には、一対の先端係止片４Ａ，４Ｂが突入する先端係合部としての先端係合孔１２ａが先端部分に設けられるとともに、一対の係止部分５ａ，５ｂが突入する係合部としての係合孔１２ｂが基端側に設けられている。
そして、フランジ１３Ａ，１３Ｂには、クリップ本体１の係止肩部１ａ，１ｂとでインストルメントパネル２１を挟持する挟持面１３ａ，１３ｂが設けられている。
【００１０】
図６はインストルメントパネルにクリップを使用してセンタクラスタを取り付けた状態の断面図である。
図６において、取付部材としてのインストルメントパネル２１には、クリップＣを取り付けたリブ１２を挿入する矩形状の取付孔２２が設けられている。
【００１１】
次に、センタクラスタ１１のインストルメントパネル２１への取付方の一例について説明する。
まず、クリップＣの鍔部６Ａ，６Ｂ側をセンタクラスタ１１のフランジ１３Ａ，１３Ｂの間に位置させるとともに、係止片５Ａ，５Ｂの間にリブ１２を位置させる。
そして、リブ１２を係止片５Ａ，５Ｂの間へ、図１に示すように、挿入方向Ｘで挿入する。
【００１２】
このようにリブ１２を係止片５Ａ，５Ｂの間へ挿入すると、リブ１２は、先端部分を係止片５Ａ，５Ｂに案内され、係止片５Ａ，５Ｂを拡開させながらクリップ本体１の中へと進入する。
そして、リブ１２の先端部分が先端係止片４Ａ，４Ｂの間に到達すると、リブ１２の先端部分は、先端係止片４Ａ，４Ｂに案内され、先端係止片４Ａ，４Ｂを拡開させながらさらにクリップ本体１内へ進入し、挟持片３Ａ，３Ｂに案内されて両側が挟持片２Ａ，２Ｂに接触する。
【００１３】
このようにリブ１２の先端部分が挟持片２Ａ，２Ｂに接触すると同時に、図６に示すように、先端係止片４Ａ，４Ｂが先端係合孔１２ａ内へ両側から突入して係合するとともに、係止部分５ａ，５ｂも係合孔１２ｂ内へ両側から突入して係合する。
このように先端係止片４Ａ，４Ｂが先端係合孔１２ａ内へ両側から突入するとともに、係止部分５ａ，５ｂが係合孔１２ｂ内へ両側から突入することにより、クリップＣのリブ１２への取付が完了する。
【００１４】
上記したように、リブ１２にクリップＣを取り付けた状態で、クリップＣの先端側、すなわち、挟持片２Ａ，２Ｂ側を下にし、図６に示すように、インストルメントパネル２１の取付孔２２へクリップＣを矢印方向から挿入する。
このようにクリップＣを取付孔２２へ挿入すると、クリップ本体１は自身の弾性によって内側へ撓みながら取付孔２２を通過し、係止肩部１ａ，１ｂが取付孔２２を通過すると、クリップ本体１は自身の弾性によって外側へ拡開するので、インストルメントパネル２１の下側（裏側）の取付孔２２の周縁に係止肩部１ａ，１ｂが圧接して係合する。
【００１５】
そして、係止肩部１ａ，１ｂが取付孔２２の周縁に係合した状態で、フランジ１３Ａ，１３Ｂの挟持面１３ａ，１３ｂがインストルメントパネル２１の上側（表側）に、クリップ本体１が拡開して係止肩部１ａ，１ｂが取付孔２２の周縁に係合する弾性力によって圧接するので、係止肩部１ａ，１ｂと挟持面１３ａ，１３ｂとでインストルメントパネル２１を挟持した状態になり、クリップＣがインストルメントパネル２１に取り付けられるとともに、センタクラスタ１１がインストルメントパネル２１に取り付けられる。
【００１６】
次に、センタクラスタ１１の取り外しについて説明する。
メンテナンスなどにおいて、センタクラスタ１１を取り外す必要性が生じた場合、センタクラスタ１１を強く引っ張ると、クリップ本体１が内側へ撓むことにより、係止肩部１ａ，１ｂの取付孔２２の周縁との係合が外れ、センタクラスタ１１とともにクリップＣをインストルメンタルパネル２１から取り外すことができる。
このようにしてセンタクラスタ１１をインストルメンタルパネル２１から取り外す場合、係止部分５ａ，５ｂがリブ１２に食い込む方向へ係止片５Ａ，５Ｂが傾斜しているので、クリップＣは、センタクラスタ１１から外れることなく、センタクラスタ１１とともにインストルメンタルパネル２１から外れる。
【００１７】
上述したように、この発明の一実施形態によれば、挿入されるセンタクラスタ１１のリブ１２の挿入方向Ｘへ向かって間隔が狭くなるように自由端を有する一対の係止片５Ａ，５Ｂが基端側から傾斜して突出し、係止部分５ａ，５ｂがリブ１２の係合孔１２ｂに両側から係合するので、センタクラスタ１１をインストルメンタルパネル２１から取り外す場合、センタクラスタ１１とともにクリップＣをインストルメンタルパネル２１から取り外すことができる。
【００１８】
そして、挿入されたリブ１２の先端部分を先端部分で両側から挟持する挟持片２Ａ，２Ｂ、３Ａ，３Ｂを設けたので、リブ１２をぐらつかないように支持することができる。
また、一対の係止片５Ａ，５Ｂを、リブ１２の挿入開始端に設けたので、センタクラスタ１１を取り外す場合、リブ１２が係止片５Ａ，５Ｂを押すことにより、リブ１２の挿入開始端であるクリップ本体１の、インストルメンタルパネル２１の上側（表側）に突出している上端部分が拡開するため、すなわち、クリップ本体１が撓み易くなり、クリップＣおよびセンタクラスタ１１をインストルメンタルパネル２１から取り外し易くなる。
【００１９】
さらに、係合部を係合孔１２ｂとし、この係合孔１２ｂに一対の係止片５Ａ，５Ｂの係止部分５ａ，５ｂを係合させるとともに、一対の係止部分５ａ，５ｂを互い違いに設けたので、係止部分５ａ，５ｂを係合孔１２ｂに深く係合させ、クリップＣとセンタクラスタ１１との係合力を大きくすることができる。
また、リブ１２に先端係合孔１２ａを設け、この先端係合孔１２ａに両側から係合する一対の先端係止片４Ａ，４Ｂを設けたので、先端係合孔１２ａと一対の先端係止片４Ａ，４Ｂとにより、クリップＣとセンタクラスタ１１との係合力を大きくすることができる。
【００２０】
上記した実施形態では、係止肩部１ａ，１ｂと挟持面１３ａ，１３ｂとでインストルメントパネル２１を挟持することにより、インストルメントパネル２１にクリップＣを取り付ける例を示したが、係止肩部１ａ，１ｂと鍔部６Ａ，６Ｂとでインストルメントパネル２１を挟持することにより、インストルメントパネル２１にクリップＣを取り付ける構成にしてもよい。
このように、係止肩部１ａ，１ｂと鍔部６Ａ，６Ｂとでインストルメントパネル２１を挟持する構成にすると、先にクリップＣをインストルメントパネル２１に取り付けた後、クリップＣへリブ１２を挿入してクリップＣにセンタクラスタ１１を取り付ける取付方でも、インストルメントパネル２１にセンタクラスタ１１を取り付けることができる。
また、被取付部材をセンタクラスタ１１とし、被取付部材をインストルメントパネル２１とした例を示したが、被取付部材をドアの内張部材とし、被取付部材をドア本体とするなど、他の態様でも、この発明を適用できることは言うまでもない。
【００２１】
【発明の効果】
以上のように、この発明によれば、挿入される被取付部材のリブの挿入方向へ向かって間隔が狭くなるように自由端を有する一対の係止片が基端側から傾斜して突出し、一対の係止片に設けられた係止部分がリブの係合部に係合するので、被取付部材を取付部材から取り外す場合、被取付部材とともにクリップを取付部材から取り外すことができる。
そして、挿入されたリブの先端部分を挟持する挟持片を設けたので、リブをぐらつかないように支持することができる。
【００２２】
また、一対の係止片をリブの挿入開始端に設けたので、被取付部材を取り外す場合、リブが係止片を押すことにより、リブの挿入開始端側が拡開するため、クリップのクリップ本体が撓み易くなり、クリップおよび被取付部材を取付部材から取り外し易くなる。
さらに、係合部を係合孔とし、この係合孔に一対の係止片の係止部分を係合させたので、係止部分を係合孔に深く係合させ、クリップと被取付部材との係合力を大きくすることができる。
【図面の簡単な説明】
【図１】この発明の一実施形態であるクリップの正面図である。
【図２】図１に示したクリップの平面図である。
【図３】図１に示したクリップの斜視図である。
【図４】図１に示したクリップを半分に破断した図３と同じ状態の斜視図である。
【図５】センタクラスタのリブ部分を示す斜視図である。
【図６】インストルメントパネルにクリップを使用してセンタクラスタを取り付けた状態の断面図である。
【符号の説明】
Ｃ              クリップ
１              クリップ本体
１ａ，１ｂ      係止肩部
２Ａ，２Ｂ      挟持片
３Ａ，３Ｂ      挟持片
４Ａ，４Ｂ      先端係止片
５Ａ，５Ｂ      係止片
５ａ，５ｂ      係止部分
６Ａ，６Ｂ      鍔部
１１            センタクラスタ（被取付部材）
１２            リブ
１２ａ          先端係合孔（先端係合部）
１２ｂ          係合孔（係合部）
１３Ａ，１３Ｂ  フランジ
１３ａ，１３ｂ  挟持面
２１            インストルメントパネル（取付部材）
２２            取付孔
Ｘ              リブ１２の挿入方向
【図１】
0004227741.tif 000002
【図２】
0004227741.tif 000003
【図３】
0004227741.tif 000004
【図４】
0004227741.tif 000005
【図５】
0004227741.tif 000006
【図６】
0004227741.tif 000007